(57)【特許請求の範囲】
【請求項１】
複数台のボイラから発生した蒸気によって複数台のタービンを運転し、各タービンに結合した発電機を駆動して電力を発生することで、発生した電力を電力負荷に供給する一方、各タービンから抽気される蒸気を蒸気負荷に供給するエネルギープラント中で、各ボイラの蒸気生成量と各タービンの蒸気配分量および抽気蒸気量を、各機器の特性モデルに基づいてトータルエネルギーコストを最小とするように決定する最適運用システムにおいて、
前記エネルギープラントの各種プロセス量を入力するプロセス量入力手段と、
前記各タービンの復水器の冷却水温度を計測量として入力するかまたは冷却源の温度から推定する冷却水温度入力手段と、
前記エネルギープラントの各種プロセス量と前記復水器の冷却水温度に基づき、復水器性能の変化による電力出力補正量を算出する補正量算出手段と、
前記エネルギープラントの各種プロセス量と前記電力出力補正量に基づき、前記エネルギープラントを構成する各機器の特性をモデル化して機器特性モデルを構築するモデル構築・更新手段と、
前記エネルギープラントの各種プロセス量と、前記電力出力補正量、および前記機器特性モデルに基づき、前記エネルギープラントの前記ボイラの蒸気生成量と各タービンの蒸気配分量および抽気蒸気量の最適運用解を算出する最適運用解算出手段を有し、
前記モデル構築・更新手段は、前記電力出力補正量に基づき前記復水器性能の変動特性を個別に詳細モデル化し、前記タービンおよび発電機の出力特性を示す元データから復水器性能の変動特性の影響を排除した基本的な特性のみを、データフィッティングにより標準モデル化することを特徴とするエネルギープラントの最適運用システム。
【請求項２】
前記電気出力補正量は、前記復水器の真空度と出力負荷（％）の関数として定義され、真空度は、復水器の冷却水温度と交換熱量（％）の関数として定義される
ことを特徴とする請求項１に記載のエネルギープラントの最適運用システム。
【請求項３】
機器特性モデルの推定精度を監視して、推定精度が予め設定された管理精度を超える場合には、前記モデル構築・更新手段に機器特性モデルの更新を行わせるモデル精度監視手段を有することを特徴とする請求項１又は２に記載のエネルギープラントの最適運用システム。
【請求項４】
前記モデル構築・更新手段は、各機器の機器特性モデルを構築する際に、当該機器に関するデータの精度に応じて、モデル構造を、２次以上の多項式特性、弁転特性、および線形特性の中から選択し、モデル化を行うように構成される
ことを特徴とする請求項１乃至請求項３のいずれか１項に記載のエネルギープラントの最適運用システム。
【請求項５】
前記冷却水温度入力手段または前記プロセス量入力手段は、計測量を入力する場合に、瞬時値ではなく、予め設定された過去の時間範囲のデータに対して平滑化処理を行った後の値を入力データとするように構成される
ことを特徴とする請求項１乃至請求項４のいずれか１項に記載のエネルギープラントの最適運用システム。
【請求項６】
複数台のボイラから発生した蒸気によって複数台のタービンを運転し、各タービンに結合した発電機を駆動して電力を発生することで、発生した電力を電力負荷に供給する一方、各タービンから抽気される蒸気を蒸気負荷に供給するエネルギープラント中で、各ボイラの蒸気生成量と各タービンの蒸気配分量および抽気蒸気量を、各機器の特性モデルに基づいてトータルエネルギーコストを最小とするように決定する最適運用方法において、
データ入力部と演算部および記憶部を有する最適制御装置を用いて、
前記データ入力部により、
前記エネルギープラントの各種プロセス量を入力するプロセス量入力処理と、
前記各タービンの復水器の冷却水温度を計測量として入力するかまたは冷却源の温度から推定する冷却水温度入力処理を行い、
前記演算部により、
前記エネルギープラントの各種プロセス量と前記復水器の冷却水温度に基づき、復水器性能の変化による電力出力補正量を算出する補正量算出処理と、
前記エネルギープラントの各種プロセス量と前記電力出力補正量に基づき、前記エネルギープラントを構成する各機器の特性をモデル化して機器特性モデルを構築し前記記憶部に格納するモデル構築・更新処理と、
前記エネルギープラントの各種プロセス量と、前記電力出力補正量、および前記機器特性モデルに基づき、前記エネルギープラントの前記ボイラの蒸気生成量と各タービンの蒸気配分量および抽気蒸気量の最適運用解を算出する最適運用解算出処理を行い、
前記モデル構築・更新処理は、前記前記電力出力補正量に基づき前記復水器性能の変動特性を個別に詳細モデル化し、前記タービンおよび発電機の出力特性を示す元データから復水器性能の変動特性の影響を排除した基本的な特性のみを、データフィッティングにより標準モデル化する処理を含むことを特徴とするエネルギープラントの最適運用方法。
【請求項７】
複数台のボイラから発生した蒸気によって複数台のタービンを運転し、各タービンに結合した発電機を駆動して電力を発生することで、発生した電力を電力負荷に供給する一方、各タービンから抽気される蒸気を蒸気負荷に供給するエネルギープラント中で、各ボイラの蒸気生成量と各タービンの蒸気配分量および抽気蒸気量を、各機器の特性モデルに基づいてトータルエネルギーコストを最小とするように決定する最適運用システムを、コンピュータを用いて実現する最適運用プログラムにおいて、
前記最適運用システムにより、前記エネルギープラントの各種プロセス量を入力し、前記各タービンの復水器の冷却水温度を計測量として入力するかまたは冷却源の温度から推定する場合に、
前記コンピュータに、
前記エネルギープラントの各種プロセス量と前記復水器の冷却水温度に基づき、復水器性能の変化による電力出力補正量を算出する補正量算出機能と、
前記エネルギープラントの各種プロセス量と前記電力出力補正量に基づき、前記エネルギープラントを構成する各機器の特性をモデル化して機器特性モデルを構築するモデルと共に、前記電力出力補正量に基づき前記復水器性能の変動特性を個別に詳細モデル化し、前記タービンおよび発電機の出力特性を示す元データから復水器性能の変動特性の影響を排除した基本的な特性のみを、データフィッティングにより標準モデル化するモデル構築・更新機能と、
前記エネルギープラントの各種プロセス量と、前記電力出力補正量、および前記機器特性モデルに基づき、前記エネルギープラントの前記ボイラの蒸気生成量と各タービンの蒸気配分量および抽気蒸気量の最適運用解を算出する最適運用解算出機能
を実現させることを特徴とするエネルギープラントの最適運用プログラム。
【発明の詳細な説明】
【技術分野】
【０００１】
本発明は、ボイラ・タービン・発電機を組み合わせたエネルギープラントにおいて、トータルエネルギーコストを最小とする最適運用を行うための技術に関するものである。
【背景技術】
【０００２】
一般に、ボイラ・タービン・発電機を組み合わせたエネルギープラントにおいては、複数台のボイラから発生した蒸気によって複数台のタービンを運転し、各タービンに結合した発電機を駆動して電力を発生することで、発生した電力を、外部からの購入電力と合わせて電力負荷に供給する一方、各タービンから抽気される蒸気を蒸気負荷に供給している。このようなエネルギープラントの最適運用を行う最適運用システムにおいては、各ボイラの蒸気生成量と各タービンの蒸気配分量や抽気蒸気量が、例えば、トータルエネルギーコストが最小になるように決定される。
【０００３】
このようなボイラ・タービン・発電機を組み合わせたエネルギープラントの最適運用システムの基本的なシステムとして、例えば、特許文献１においては、ボイラやタービン（発電機含む）のモデル（機器特性、運転制約、機器内蒸気バランスなど）、モデルの作成・編集機能、トータルエネルギーコスト最小化演算機能などから構成されたシステムが提案されている。
【０００４】
また、特許文献２においては、各機器における蒸気の温度、圧力、流量情報をプロセス量として入力し、マスバランスとエネルギーバランスの関係式やタービンへの蒸気流入量制御弁における圧力損失特性を考慮した詳細モデル化により最適運用を行うシステムが提案されている。
【０００５】
一方、特許文献３においては、ボイラ壁の汚れなどに起因するボイラ効率の変化を経時的に評価することで、経年変化の影響を低減するボイラ・タービン・発電機の最適運用システムが提案されている。
【０００６】
【特許文献１】特開平８−９５６０４
【特許文献２】特開２０００−９７００１
【特許文献３】特開２００４−３３２６２３
【発明の開示】
【発明が解決しようとする課題】
【０００７】
上述した従来技術においては、対象となるボイラ・タービン・発電機を組み合わせたエネルギープラント（以下、ＢＴＧ系と略称）の最適運用において、個々の機器の特性を、予め数式関係としてモデリングし、その機器特性モデルに基づき、最適な運用状態として、例えば、トータルエネルギーコストが最小となるような運用状態を数値計算によって求めている。
【０００８】
しかし、そのような従来技術の機器特性モデル化においては、タービン復水器性能に影響する冷却水温度（通常、海水温度など）が機器特性モデルに陽に盛り込まれていないため、モデル化が行われた時期（例えば夏季）の機器モデルを別の時期（例えば冬季）に適用した場合には、復水器性能が大きく異なってしまい、最適運用解は実質的に最適なものではなくなってしまう可能性があった。
【０００９】
このような冷却水温度の影響を低減するために、例えば、最低一年間のデータを用いてモデル化を図ることなどが行われているが、結果的に得られる機器モデルは、年間の海水温度の変動を無視し、平均的な特性として合わせ混む形になるため、逆にどの時期でも変動誤差が残ることとなり、最適化の結果も常にずれるという課題があった。
【００１０】
特に、特許文献２では、前述したように、各機器における蒸気温度・圧力・流量を全て考慮することで、質量・エネルギー双方のバランス関係や圧損などを考慮した詳細モデル化を図り、最適運用を行うシステムが提案されているが、このように構成された機器モデル群は全体に非線形性が強いものとなる。そのため、最適化計算において最適解に到達しない、最適化計算に時間がかかる、モデルのメンテナンス負荷が高すぎる、などの弊害があり、継続的な利用において、非常に大きな課題となっていた。
【００１１】
本発明は、上述した課題を解決するためになされたものであり、その目的は、タービン復水器性能に影響する冷却水温度を陽に取り込むことにより、精度の高い機器特性モデルを構築可能とし、安定した最適運用解を算出可能なエネルギープラントの最適運用システムと方法、およびプログラムを提供することである。
【課題を解決するための手段】
【００１２】
本発明は、上記の目的を達成するために、復水器の冷却水温度に起因する復水器性能の変化による電力出力補正量を算出して、この電力出力補正量に基づき機器特性モデルを構築することにより、精度の高い機器特性モデルを構築可能とし、安定した最適運用解を算出可能としたものである。
【００１３】
本発明におけるエネルギープラントの最適運用システムは、複数台のボイラから発生した蒸気によって複数台のタービンを運転し、各タービンに結合した発電機を駆動して電力を発生することで、発生した電力を電力負荷に供給する一方、各タービンから抽気される蒸気を蒸気負荷に供給するエネルギープラント中で、各ボイラの蒸気生成量と各タービンの蒸気配分量および抽気蒸気量を、各機器の特性モデルに基づいてトータルエネルギーコストを最小とするように決定する最適運用システムにおいて、プロセス量入力手段、冷却水温度入力手段、補正量算出手段、モデル構築・更新手段、最適運用解算出手段を有する。
【００１４】
ここで、プロセス量入力手段は、エネルギープラントの各種プロセス量を入力する手段であり、冷却水温度入力手段は、各タービンの復水器の冷却水温度を計測量として入力するかまたは冷却源の温度から推定する手段である。補正量算出手段は、エネルギープラントの各種プロセス量と復水器の冷却水温度に基づき、復水器性能の変化による電力出力補正量を算出する手段である。モデル構築・更新手段は、エネルギープラントの各種プロセス量と電力出力補正量に基づき、エネルギープラントを構成する各機器の特性をモデル化して機器特性モデルを構築すると共に、電力出力補正量に基づき前記復水器性能の変動特性を個別に詳細モデル化し、前記タービンおよび発電機の出力特性を示す元データから復水器性能の変動特性の影響を排除した基本的な特性のみを、データフィッティングにより標準モデル化する手段である。最適運用解算出手段は、エネルギープラントの各種プロセス量と、電力出力補正量、および機器特性モデルに基づき、エネルギープラントのボイラの蒸気生成量と各タービンの蒸気配分量および抽気蒸気量の最適運用解を算出する手段である。
【００１５】
なお、本発明におけるエネルギープラントの最適運用方法および最適運用プログラムは、上記システムの特徴を、方法およびコンピュータプログラムの観点からそれぞれ把握したものである。
【発明の効果】
【００１６】
本発明によれば、タービン復水器性能に影響する冷却水温度を陽に取り込むことにより、精度の高い機器特性モデルを構築可能とし、安定した最適運用解を算出可能なエネルギープラントの最適運用システムと方法、およびプログラムを提供することができる。
【発明を実施するための最良の形態】
【００１７】
以下には、本発明によるエネルギープラントの最適運用システムの実施形態について、図面を参照して具体的に説明する。
【００１８】
［第１の実施形態］
［構成］
図１は、本発明を適用した第１の実施形態に係るエネルギープラントの最適運用システムを示すブロック図である。
【００１９】
この図１に示すように、最適運用システムはまず、運用対象エネルギープラントであるボイラ・タービン・発電機プラント（ＢＴＧプラント）１００の最適運用を行う最適制御装置１０１、ＢＴＧプラント１００の各種プロセス量を計測するプロセス量計測装置１０２、最適制御装置１０１で設定された最適運用解に基づき、ＢＴＧプラント１００を制御するプラント制御装置１０３、を備えている。
【００２０】
これらの装置１０１〜１０３からなるシステム構成は、特に、最適制御装置１０１の構成や機能内容を除けば、基本的に従来存在する構成である。本実施形態においては、これらの装置１０１〜１０３に加えて、本発明の特徴であるタービン復水器の冷却水温度に関するデータを得るために、ＢＴＧプラント１００のタービン復水器の冷却源温度を計測する冷却源温度計測装置１０４が追加されている。本実施形態において、この冷却源温度計測装置１０４は、冷却水として用いられるプラント外部の冷却媒体温度を計測するものとする。なお、変形例として、冷却源温度計測装置１０４により冷却水温度を直接計測することも可能である。
【００２１】
また、最適制御装置１０１は、データ入力部１１０、演算部１２０、記憶部１３０、最適運用解設定部１４０等から構成されている。この最適制御装置１０１の各部の詳細は次の通りである。
【００２２】
データ入力部１１０は、プロセス量入力部１１１と冷却水温度入力部１１２を備えている。ここで、プロセス量入力部１１１は、プロセス量計測装置１０２で計測されたＢＴＧプラント１００の蒸気流量、温度、圧力などの各種プロセス量を入力して演算用のデータとして演算部１２０に渡す部分であり、従来の最適運用システムに既存の構成である。これに対して、冷却水温度入力部１１２は、本発明の特徴であるタービン復水器の冷却水温度に関するデータを得るために、冷却源温度計測装置１０４で計測されたプラント外部の冷却媒体温度を入力して、入力した冷却媒体温度から冷却水温度を推定し、演算用のデータとして演算部１２０に渡す部分である。
【００２３】
このようなデータ入力部１１０の具体的な構成は、プロセス量計測装置１０２や冷却源温度計測装置１０４から取得するデータに応じて異なる。例えば、プロセス量計測装置１０２や冷却源温度計測装置１０４から入力するデータがディジタルデータである場合には、コンピュータの有する通常の通信制御装置や入力機能により実現可能であるが、アナログデータである場合には、アナログ通信装置やＡ／Ｄ変換回路などにより実現可能である。
【００２４】
また、冷却水温度入力部１１２における冷却水温度の推定は、ディジタルデータを入力する場合には、コンピュータの有する演算機能により実現可能であるが、アナログデータを入力する場合には、推定回路などを用いて実現可能である。
【００２５】
演算部１２０は、補正量算出部１２１、モデル構築・更新部１２２、制約条件設定部１２３、最適運用解算出部１２４を備えている。
【００２６】
ここで、補正量算出部１２１は、本発明の特徴であるところの、タービン復水器の性能変化による電力出力補正量を算出する部分であり、プロセス量入力部１１１で入力された各種プロセス量、および、冷却水温度入力部１１２で推定されたタービン復水器の冷却水温度に基づき、復水器の冷却水温度変化による性能変動としての電力出力補正量を算出する。
【００２７】
また、モデル構築・更新部１２２は、本発明の特徴であるところの、タービン復水器の性能変化による電力出力補正量を機器特性モデルに反映させる部分であり、プロセス量入力部１１１で入力された各種プロセス量、および、補正量算出部１２１で算出された電力出力補正量に基づき、ＢＴＧプラント１００を構成する各機器の特性をモデル化して、モデルの構造、パラメータ値などのモデル情報を保持する機器特性モデルを構築する。
【００２８】
本実施形態において、このモデル構築・更新部１２２においては、プロセス量から機器特性モデルを、一例として、データフィッティングにより決定するものとする。そして、モデル構築・更新部１２２は、補正量算出部１２１により出力される電気出力補正量を反映させたデータフィッティングを行うことで、主に季節間の冷却水温度（海水温度などの外部冷却媒体の温度によりほぼ近似される）の差によるタービン復水器の性能変動を陽に取り込んだ機器特性モデルを構築する。
【００２９】
制約条件設定部１２３は、プロセス量入力部１１１で入力された各種プロセス量に基づき、ＢＴＧプラント１００の運用上の制約条件を設定する部分である。このような制約条件の設定は既存の技術であり、本発明の特徴ではないため、これ以上の説明は省略する。
【００３０】
最適運用解算出部１２４は、プロセス量入力部１１１で入力された各種プロセス量、補正量算出部１２１で算出された電力出力補正量、および、モデル構築・更新部１２２で構築された機器特性モデルに基づき、ＢＴＧプラント１００のボイラの蒸気生成量と各タービンの蒸気配分量および抽気蒸気量の最適運用解を算出する部分である。
【００３１】
このような演算部１２０は、コンピュータの有するＣＰＵなどの演算用ハードウェアと、最適制御用として特化されたプログラムの組み合わせにより実現可能である。
【００３２】
記憶部１３０は、モデル構築・更新部１２２で構築された機器特性モデルを格納するモデル格納部１３１と、制約条件設定部１２３で設定された運用上の制約条件を格納する制約条件格納部１３２を備えている。このような記憶部１３０は、コンピュータの有するメモリや補助記憶装置により実現可能である。
【００３３】
最適運用解設定部１４０は、最適運用解算出部１２４で算出された最適運用解に関するデータをプラント制御装置１０３に送信してその最適運用解の設定を行わせる部分である。このような最適運用解設定部１４０は、コンピュータの有するＣＰＵなどの演算用ハードウェアと、最適運用解設定用として特化されたプログラムの組み合わせ、および通信制御装置などにより実現可能である。
【００３４】
［動作］
図２は、以上のような第１の実施形態に係るエネルギープラントの最適運用システムにおける最適制御装置１０１の動作概略を示すフローチャートである。
【００３５】
この図２に示すように、最適制御装置１０１はまず、プロセス量入力部１１１により、プロセス量計測装置１０２からＢＴＧプラント１００の各種プロセス量を入力するプロセス量入力処理（Ｓ２０１）と、冷却水温度入力部１１２により、冷却源温度計測装置１０４からのプラント外部の冷却媒体温度を入力してＢＴＧプラント１００の各タービン復水器の冷却水温度を推定する冷却水温度入力処理（Ｓ２０２）を行う。
【００３６】
最適制御装置１０１は次に、補正量算出部１２１により、ＢＴＧプラント１００の各種プロセス量とタービン復水器の冷却水温度に基づき、復水器性能の変化による電力出力補正量を算出する補正量算出処理（Ｓ２０３）を行う。そして、モデル構築・更新部１２２により、ＢＴＧプラント１００の各種プロセス量と電力出力補正量に基づき、ＢＴＧプラント１００を構成する各機器の特性をモデル化して、モデルの構造、パラメータ値などのモデル情報を保持する機器特性モデルを構築し、モデル格納部１３１に格納するモデル構築・更新処理（Ｓ２０４）を行う。
【００３７】
また、制約条件設定部１２３により、ＢＴＧプラント１００の各種プロセス量に基づき、ＢＴＧプラント１００の運用上の制約条件を設定し、制約条件格納部１３２に格納する制約条件設定処理（Ｓ２０５）を行う。
【００３８】
最適制御装置１０１は続いて、最適運用解算出部１２４により、ＢＴＧプラント１００の各種プロセス量と、電力出力補正量、および機器特性モデルに基づき、ＢＴＧプラント１００のボイラの蒸気生成量と各タービンの蒸気配分量および抽気蒸気量の最適運用解を算出する最適運用解算出処理（Ｓ２０６）を行う。そして、最適運用解設定部１４０により、最適運用解に関するデータをプラント制御装置１０３に送信してその最適運用解の設定を行わせる最適運用解設定処理（Ｓ２０７）を行うことにより、プラント制御装置１０３によりＢＴＧプラント１００の最適運用を実施する。
【００３９】
［処理の詳細］
以下には、以上のような最適制御装置１０１の動作のうち、本発明に係る特徴的な処理であるところの、補正量算出処理（Ｓ２０３）およびモデル構築・更新処理（Ｓ２０４）の詳細についてより具体的に説明する。
【００４０】
［補正量算出処理］
本実施形態において、補正量算出部１２１による補正量算出処理（Ｓ２０３）は、図３に示すような手順で行われる。すなわち、出力補正量は、タービン復水器の真空度と出力負荷（％）の関数として定義され、さらに、真空度は、タービン復水器の冷却水温度と交換熱量（％）の関数として定義される。
【００４１】
このうち、タービン復水器の冷却水温度は、冷却水温度入力部１１２による冷却水温度入力処理により、冷却水として用いられるプラント外部の冷却媒体温度から推定される。ここでは、便宜上、冷却水として海水を使用し、その温度が海水温度でほぼ代替できるものとするが、外部冷却媒体の取り込み経路などによっては、冷却媒体温度にバイアス補正をするなどの、必要に応じた処理が、冷却水温度入力処理の一部として行われる。
【００４２】
一方、交換熱量（％）は、タービン復水器への流入蒸気量の定格流量比として、以下の式１に示すように、各タービンに対して算出され、真空度と出力補正量の関係は、さらに、以下の式２で表される。
【００４３】
【数１】
0004664842.tif 000002
【００４４】
【数２】
0004664842.tif 000003
【００４５】
実際の出力補正では、連続的な出力負荷に対する関数が用意されている訳ではなく、代表的な動作点（出力負荷（％））における真空度との関係が、設計仕様などとして計算されているケースが一般的である。例えば、仮に、１００％負荷と７５％負荷のそれぞれにおいて、真空度との関係が与えられているとすると、以下の式３に示すように、それぞれの関係に対して構成された補正関数の内分関数として、７５〜１００％の負荷帯域出力補正関数を構成し、これを出力補正関数とするなどの近似的な構成が考えられる。
【００４６】
【数３】
0004664842.tif 000004
【００４７】
なお、３点以上の補正情報が与えられる場合には、２次以上の高次曲線で近似するなどの構成が考えられる。以下の式４には、真空度や各動作点での補正関数の近似構成例を示す。
【００４８】
【数４】
0004664842.tif 000005
【００４９】
［モデル構築・更新処理］
本実施形態において、モデル構築・更新部１２２によるモデル構築・更新処理（Ｓ２０４）においては、前述したように、各種プロセス量と電力出力補正量に基づき、各機器特性のモデル化が行われる。
【００５０】
特に、タービン・発電機の出力特性を表す蒸気消費量関数（曲線）の場合、前述の復水器冷却水温度の違いに起因する出力変化を考慮するために、その特性モデルの構築においては、そのような出力変化を除去した標準化蒸気消費量曲線として、フィッティング構築が行われる。以下には、この点について説明する。
【００５１】
一般に計測されるプロセス量は、例えば、図４に示すように年間での計測を考えた場合、様々な復水器の冷却水温度（海水温度）によるタービン・発電機の性能変化の影響が加わっているため、実際にタービン・発電機の機器特性を定める場合には、これらの季節変動要因と基本的な蒸気消費量による特性とを区別してモデル化する必要がある。
【００５２】
そのため、タービン・発電機の出力特性を表す蒸気消費量曲線については、以下の式５に示すように、当該データが計測された時の海水温度によるタービン復水器性能の変動特性を個別に詳細モデル化し、タービン・発電機の出力特性を示す元データに対して出力補正を行うことで、季節変動要因を排除した基本的な特性のみを、データフィッティングにより標準モデル化して（標準化）蒸気消費量曲線を構成する。
【００５３】
【数５】
0004664842.tif 000006
【００５４】
［効果］
以上のように、第１の実施形態によれば、タービン復水器性能に影響する冷却水温度を機器特性モデルに陽に取り込むことにより、タービン復水器の冷却水温度の変動による出力変化の影響と、タービン・発電機が本来の機器特性として持っている流入蒸気に対する出力寄与を正確に評価することができる。したがって、従来に比べて精度の高い機器特性モデルを構築可能で、安定した最適運用解を算出可能な最適運用システムを提供することができる。
【００５５】
特に、図３に示すように、電力出力補正量を、タービン復水器の冷却水温度の関数として明確に定義することにより、タービン復水器の冷却水温度を機器特性モデルに確実に取り込むことができるため、冷却水温度の変化によるタービン復水器性能の変動特性の詳細モデル化を精度よく行うことができる。
【００５６】
また、冷却水温度の変化によるタービン復水器性能の変動特性を個別に詳細モデル化し、その影響を排除した基本的なタービン・発電機特性のみを、データフィッティングにより標準モデル化することにより、機器特性モデルの冗長化を回避できるため、最適運用解の算出時間の短縮や、モデルのメンテナンス負荷の低減が図れるという効果も得られる。
【００５７】
［第２の実施形態］
図５は、本発明を適用した第２の実施形態に係るエネルギープラントの最適運用システムを示すブロック図である。本実施形態は、第１の実施形態における最適制御装置１０１において、演算部１２０にモデル精度監視部１２５を追加したものである。このモデル精度監視部１２５は、モデル構築・更新部１２２で構築された機器特性モデルの推定精度を監視して、推定精度が予め設定された管理精度を超える場合には、モデル構築・更新部１２２に機器特性モデルの更新を行わせる部分である。なお、他の部分の構成は、図１に示した第１の実施形態の構成と同様である。
【００５８】
図６は、以上のような第２の実施形態に係るエネルギープラントの最適運用システムにおける最適制御装置１０１の動作概略を示すフローチャートである。この図６に示すように、本実施形態において、モデル構築・更新部１２２によるモデル構築・更新処理（Ｓ２０４）に続いて、モデル精度監視部１２５とモデル構築・更新部１２２によるモデル精度監視・更新処理（Ｓ２１１）を行う点以外は、図２に示した第１の実施形態の動作概略と同様である。
【００５９】
このモデル精度監視・更新処理（Ｓ２１１）において、最適制御装置１０１は、モデル精度監視部１２５により、プロセス量と機器特性モデル３が保持するモデル情報に基づき、現在、最適運用解の演算に供与されている機器特性モデルの予測出力を実績データと比較し、仮にそれが所定の許容限界精度（管理精度）を超えている場合には、モデル構築・更新部１２２に指示を出すことで、機器特性モデルの更新を行わせる。
【００６０】
すなわち、機器特性は、機器自身の更新以外に、経年変化等によって変わることが予想されるが、本実施形態においては、そのような経年劣化等の特性変化が生じた際に、モデル精度監視部１２５により機器特性モデルの精度、すなわち、実際の機器特性との差分を監視して、差分が許容限界を超えた場合に、実際の機器特性に応じた機器特性モデルに更新する。
【００６１】
このようなモデル精度監視・更新処理を行うことにより、機器特性モデルの精度を監視して常に一定以上の精度に維持することができるため、最適運用解算出部１２４により算出される最適運用解の実質的な最適性を長期に亘って維持することが可能となる。
【００６２】
したがって、第２の実施形態によれば、第１の実施形態と同様の効果が得られることに加えて、より長期に亘って安定した最適運用解を算出可能な最適運用システムを提供することができる。
【００６３】
［第３の実施形態］
図７は、本発明を適用した第３の実施形態に係るエネルギープラントの最適運用システムにおけるモデル構築・更新部１２２の構成を示す図である。この図７に示すように、本実施形態は、第１の実施形態におけるモデル構築・更新部１２２の機能を拡張して、モデル構造を選択する機能を持たせたものである。このような機能拡張を実現するために、本実施形態のモデル構築・更新部１２２は、一例として、モデル構造選択部１２２１、データフィッテング部１２２２、モデル精度評価部１２２３を保持している。
【００６４】
本実施形態において、このモデル構築・更新部１２２は、各機器の機器特性モデルを構築する際に、モデル構造選択部１２２１により、当該機器に関するデータの精度に応じて、モデル構造を、２次以上の多項式特性、弁転特性、および線形特性の中から選択可能であり、選択したモデル構造を用いてモデル化を行う。このモデル構築・更新部１２２は、モデル構造選択部１２２１によるモデル構造の選択、データフィッテング部１２２２によるモデル同定用に用意されたデータへのデータフィッテング、およびモデル精度評価部１２２３によるモデル精度（誤算分散）の評価、を繰り返しつつ、最適なモデル構造を比較・選択的に決定する。
【００６５】
すなわち、図７に示すように、タービン特性の詳細なモデル構造としては、弁の切り替えによる出力変化を精密に表現した弁転特性モデルを適用することか考えられるが、本実施形態においては、弁転特性モデルの適用だけでなく、より簡易な線形一次式での表現モデルの適用も可能である。
【００６６】
例えば、一般産業工場の自家発電プラントの場合には、実際の計測データから弁転特性を精度良く同定することは非常に難しいケースが多く、弁転特性モデルに固執した場合に、かえって特性モデルとしての推定精度が大幅に劣化することも起こり得る。本実施形態においては、このような場合に、最適なモデル構造を比較・選択することにより、モデル構築に使用するデータの精度に応じて柔軟にモデル構造を選択して、機器特性モデルの詳細化を精度よく行うことができる。
【００６７】
したがって、第３の実施形態によれば、第１の実施形態と同様の効果が得られることに加えて、機器特性モデルの詳細化をモデル構築に用いるデータ品質に応じて実行することができるため、より安定した最適運用解を算出可能な最適運用システムを提供することができる。
【００６８】
［第４の実施形態］
図８は、本発明を適用した第４の実施形態に係るエネルギープラントの最適運用システムにおける冷却水温度入力部１１２の構成を示す図である。この図８に示すように、本実施形態は、第１の実施形態における冷却水温度入力部１１２に、平滑化フィルタ１１２１を持たせたものである。
【００６９】
この平滑化フィルタ１１２１を有することにより、本実施形態の冷却水温度入力部１１２は、計測量を入力する場合に、瞬時値ではなく、予め設定された過去の時間範囲のデータに対して平滑化処理を行った後の値を入力データとする。
【００７０】
すなわち、本実施形態において、図８に示すように、冷却水温度入力部１１２は、冷却水として使用する海水温度の実測海水温度データを入力するが、この場合に、瞬時値ではなく、予め設定された過去の時間範囲の実測海水温度データを入力し、平滑化フィルタ１１２１により平滑化処理を行った後の平滑化処理後海水温度データを、補正量算出用の冷却水温度データとして、補正量算出部１２１に渡す。
【００７１】
本実施形態では、このように、冷却水温度データとして、平滑化処理後のデータを使用することにより、計測に使用されている機器の性能に関わらず、タービン復水器の性能の推定値を精度よく算出することができる。すなわち、海水温度の計測において利用されているセンサは、一般的に、あまり高性能でない場合が多いため、そのようなセンサで計測された瞬時値データを用いた場合には、大きなノイズ・外乱がデータに直接的に重畳し、結果として正確な復水器性能の推定値を大きく乱す可能性がある。
【００７２】
本実施形態においては、冷却水温度入力部１１２内に、図８に示すような平滑化フィルタ部１１２１を用意して、ノイズ要因の低減を図ると共に、さらに所定の過去時間範囲で平均値計算を行ってそれを現在値とみなすなどの全般的な平滑化処理を行うことにより、このような計測センサ側の性能を補うことができる。
【００７３】
したがって、第４の実施形態によれば、第１の実施形態と同様の効果が得られることに加えて、一定温度範囲の実測温度データの平滑化処理を行うことで計測側の性能に関わらず、タービン復水器の性能の推定値を精度よく算出して、タービン復水器の性能変動を安定して予測できるため、より安定した最適運用解を算出可能な最適運用システムを提供することができる。
【００７４】
なお、第４の実施形態の変形例として、プロセス量入力部１１１において、プロセス量の計測量を入力する場合に、瞬時値ではなく、予め設定された過去の時間範囲のデータに対して平滑化処理を行った後の値を入力データとしてもよい。この場合にも、プロセス量の計測性能に関わらず、補正量の算出や機器特性モデルの構築を精度よく行うことができるため、より安定した最適運用解を算出可能な最適運用システムを提供することができる。
【００７５】
［他の実施形態］
なお、本発明は、前述した実施形態に限定されるものではなく、本発明の範囲内で他にも多種多様な変形例が実施可能である。まず、図面に示したシステム構成、装置構成やフローチャート、機器特性モデル構成は、一例にすぎず、具体的な構成、動作手順や各処理の詳細、機器特性モデル構成などは適宜選択可能である。
【００７６】
例えば、最適運用システムを構成する最適制御装置や計測装置、プラント制御装置などの具体的な構成は自由に選択可能であり、これらの装置を適宜複合化してもよい。あるいは逆に、最適制御装置を複数の装置から構成してもよい。また、前記実施形態においては、エネルギープラントの冷却水として海水を使用し、冷却源温度である海水温度を実測する場合について説明したが、プラント内の冷却水温度を直接計測してもよい。
【００７７】
一方、本発明が対象とするボイラ・タービン・発電機を組合せてなるエネルギープラントの具体的な構成も、自由に選択可能である。例えば、エネルギープラントで具体的に使用する冷却水または冷却源は、海水に限定されるものではなく、自由に選択可能である。
【図面の簡単な説明】
【００７８】
【図１】本発明を適用した第１の実施形態に係るエネルギープラントの最適運用システムを示すブロック図。
【図２】第１の実施形態に係るエネルギープラントの最適運用システムにおける最適制御装置の動作概略を示すフローチャート。
【図３】第１の実施形態に係るエネルギープラントの最適運用システムにおける補正量算出部による補正量算出処理手順を示す図。
【図４】海水温度の変動に対するタービン復水器の性能と出力特性変化を示す概念図。
【図５】本発明を適用した第２の実施形態に係るエネルギープラントの最適運用システムを示すブロック図。
【図６】第２の実施形態に係るエネルギープラントの最適運用システムにおける最適制御装置の動作概略を示すフローチャート。
【図７】本発明を適用した第３の実施形態に係るエネルギープラントの最適運用システムにおけるモデル構築・更新部の構成を示す図。
【図８】本発明を適用した第４の実施形態に係るエネルギープラントの最適運用システムにおける冷却水温度入力部の構成を示す図。
【符号の説明】
【００７９】
１００…ボイラ・タービン・発電機プラント（ＢＴＧプラント）
１０１…最適制御装置
１０２…プロセス量計測装置
１０３…プラント制御装置
１０４…冷却源温度計測装置
１１０…データ入力部
１１１…冷却水温度入力部
１１２…プロセス量入力部
１２０…演算部
１２１…補正量算出部
１２２…モデル構築・更新部
１２３…制約条件設定部
１２４…最適運用解算出部
１２５…モデル精度監視部
１３０…記憶部
１３１…モデル格納部
１３２…制約条件格納部
１４０…最適運用解設定部
【図１】
0004664842.tif 000007
【図２】
0004664842.tif 000008
【図３】
0004664842.tif 000009
【図４】
0004664842.tif 000010
【図５】
0004664842.tif 000011
【図６】
0004664842.tif 000012
【図７】
0004664842.tif 000013
【図８】
0004664842.tif 000014